(57)【要約】【課題】ブラジャーのバックに押されてこのバックの上側と下側とにおいて着用者の肉が際だって隆起し難いようにする。【解決手段】ブラジャーＢのバック５であって、ブラジャーＢの脇上辺４の最底縁４ａとこのバック５の連結端部５ａとの間となる箇所に、この脇上辺４の最底縁４ａと連結端部５ａの上縁とを結ぶ仮想の直線ｘよりも上方に延出する押さえ布部６が備えられている。脇上辺４となる押さえ布部６の一辺６ｂと、押さえ布部６の上端６ａと連結端部５ａとの間に亘るバック５の上辺５ｄと、連結端部５ａ近傍のバック５の下辺５ｅとにそれぞれ縁部を止着された伸縮性を持った裏地７がバック５に備えられている。【選択図】図２
2007031858.tif 000002
【特許請求の範囲】
【請求項１】
帯紐状をなす肩ストラップを備えた下着であって、
この下着の背側部には、この下着の脇上辺の最底縁を通る仮想の水平線よりも上方に延出する押さえ布部が備えられており、この押さえ布部の上端に肩ストラップが接続されていると共に、
この押さえ布部が、下方に向かうに連れて次第に幅広になるように構成してあり、
しかも、この押さえ布部の略全体を覆う伸縮性を持った裏地を備えていることを特徴とする下着。
【請求項２】
帯紐状をなす肩ストラップを備えたブラジャーであって、
このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
この押さえ布部が、下方に向かうに連れて次第に幅広になるように構成してあり、
しかも、脇上辺となる押さえ布部の一辺と、押さえ布部の上端と連結端部との間に亘るバックの上辺と、連結端部近傍のバックの下辺とにそれぞれ縁部を止着された伸縮性を持った裏地がバックに備えられていることを特徴とするブラジャー。
【請求項３】
バックを構成する主生地が横方向に伸縮し易くなっていると共に、裏地がこの主生地の伸縮し易い方向に交叉する方向において伸縮し易い生地によって構成されていることを特徴とする請求項２記載のブラジャー。
【請求項４】
押さえ布部の上端とバックの下辺との間に亘るように、コイルボーンが内装されていることを特徴とする請求項２又は請求項３記載のブラジャー。
【請求項５】
脇上辺に弾性を備えた線材が内装されていることを特徴とする請求項２〜請求項４のいずれか１項に記載のブラジャー。
【発明の詳細な説明】
【技術分野】
【０００１】
この発明は、着用者における背中のボディラインを美しく保てるようにした下着、および、ブラジャーに関する。
【背景技術】
【０００２】
夏期などの薄着時においては、ブラジャーのバックに押されてこのバックの上側と下側とにおいて隆起された着用者の肉が、着用者の背中のボディラインを損なわせ易い。夏期でなくとも着用するアウターの素材によってはこれと同様の不都合を生じさせてしまう。
【発明の開示】
【発明が解決しようとする課題】
【０００３】
この発明が解決しようとする主たる問題点は、ブラジャーなどの下着に押されて着用者の背中の肉が際だって隆起し難いようにする点にある。
【課題を解決するための手段】
【０００４】
前記問題点を解決するために、この発明にあっては、下着を、以下の（１）〜（４）の構成を備えたものとした。
（１）帯紐状をなす肩ストラップを備えた下着であって、
（２）この下着の背側部には、この下着の脇上辺の最底縁を通る仮想の水平線よりも上方に延出する押さえ布部が備えられており、この押さえ布部の上端に肩ストラップが接続されていると共に、
（３）この押さえ布部が、下方に向かうに連れて次第に幅広になるように構成してあり、
（４）しかも、この押さえ布部の略全体を覆う伸縮性を持った裏地を備えている。
【０００５】
かかる構成によれば、押さえ布部によって、着用者の背中における肩胛骨によって張り出した箇所近傍を広い面積で押さえることができ、この近傍の肉が下着によって押されて際だって膨らみ出すことがないようにすることができる。押さえ布部の形成箇所側は伸縮性を持った裏地によって覆われていることから、この裏地によって前記肩胛骨によって張り出した箇所近傍をよりしっかりと押さえることができ、着用者の背中のボディラインを美しく整えることができる。かかる下着としては、典型的には、ブラジャー、キャミソール、ボディスーツなどが予定される。
【０００６】
前記問題点を解決するために、この発明にあっては、ブラジャーを、以下の（１）〜（４）の構成を備えたものとした。
（１）帯紐状をなす肩ストラップを備えたブラジャーであって、
（２）このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
（３）この押さえ布部が、下方に向かうに連れて次第に幅広になるように構成してあり、
（４）しかも、脇上辺となる押さえ布部の一辺と、押さえ布部の上端と連結端部との間に亘るバックの上辺と、連結端部近傍のバックの下辺とにそれぞれ縁部を止着された伸縮性を持った裏地がバックに備えられている。
【０００７】
かかる構成によれば、押さえ布部によって、着用者の背中における肩胛骨によって張り出した箇所近傍を広い面積で押さえることができ、この近傍の肉がブラジャーのバックによって押されて際だって膨らみ出すことがないようにすることができる。バックにおける押さえ布部の形成箇所側は伸縮性を持った裏地によって覆われていることから、この裏地によって前記肩胛骨によって張り出した箇所近傍をよりしっかりと押さえることができ、着用者の背中のボディラインを美しく整えることができる。
【０００８】
前記バックを構成する主生地が横方向に伸縮し易くなっていると共に、裏地をこの主生地の伸縮し易い方向に交叉する方向において伸縮し易い生地によって構成させておくこともある。
【０００９】
このようにした場合、押さえ布部の形成箇所において、押さえ布部の形を崩すことなく、着用者の体を一層しっかりと押さえることができる。
【００１０】
前記押さえ布部の上端とバックの下辺との間に亘るように、コイルボーンを内装させておくこともある。
【００１１】
このようにした場合、かかるコイルボーンによって、押さえ布部の上端とバックの下辺との間は常時押し広げられた状態に保たれることから、この押さえ布部の形成箇所において、常時広い面積で着用者の体をしっかりと押さえることができる。
【００１２】
前記脇上辺に弾性を備えた線材を内装させておくこともある。
【００１３】
このようにした場合、ブラジャーが体から浮き上がり難く、押さえ布部の形成箇所において常時着用者の体をしっかりと押さえることができると共に、肩から肩ストラップがズレ落ちる事態を効果的に防止できる。
【発明の効果】
【００１４】
この発明にかかる下着、および、ブラジャーによれば、下着の背側部、ブラジャーにあってはバック、に押されて着用者の背中側の肉が際だって隆起し難いようにして、着用者における背中のボディラインを美しく保つことができる。
【発明を実施するための最良の形態】
【００１５】
以下、図１ないし図４に基づいて、この発明を実施するための最良の形態について説明する。
【００１６】
なお、ここで図１は、実施の形態にかかるブラジャーＢをその前面から視て、また、図２は、その背面から視て、また、図３は、図２の右側を拡大させた状態として、それぞれ示しており、また、図４は、かかるブラジャーＢを着用した様子を着用者Ｍの背中側から視て示している。
【００１７】
この実施の形態にかかる下着、具体的にはこの下着の一例としてのブラジャーＢは、ブラジャーＢのバック５に押されてこのバック５の上側と下側とにおいて着用者Ｍの肉が際だって隆起し難いようにして、特に夏期などの薄着時においてブラジャーＢの着用者Ｍにおける背中Ｍａのボディラインを美しく保てるようにしたものである。
【００１８】
かかるブラジャーＢは、帯紐状をなす肩ストラップ１を備えている。図中符号２はカップ、符号２ａはカップワイヤー、符号３は土台布である。また、かかるブラジャーＢのバック５であって、ブラジャーＢの脇上辺４の最底縁４ａとこのバック５の連結端部５ａ（背鈎５ｂによって取り外し可能に接続され合うバック５の左右端部）との間となる箇所には、この脇上辺４の最底縁４ａと連結端部５ａの上縁とを結ぶ仮想の直線ｘよりも上方に延出する押さえ布部６が備えられている。
【００１９】
肩ストラップ１における着用者Ｍの背中Ｍａ側に位置される端部は、かかる押さえ布部６の上端６ａに接続されている。また、かかる押さえ布部６は、下方に向かうに連れて次第に幅広になるように構成されている。図示の例では、かかる押さえ布部６は、前記仮想の直線ｘと接する箇所において最も広く、この箇所から上方に向かうに連れて次第に幅狭となる略三角形の舌片状をなしている。そして、この略三角形状をなす押さえ布部６の頂部に肩ストラップ１における着用者Ｍの背中Ｍａ側に位置される端部が接続されている。
【００２０】
また、かかるブラジャーＢにあっては、
バック５の脇上辺４となる押さえ布部６の一辺６ｂと、（つまり、カップ２側にある押さえ布部６の斜辺）
押さえ布部６の上端６ａと連結端部５ａとの間に亘るバック５の上辺５ｄと、（つまり、連結端部５ａ側にある押さえ布部６の斜辺）
連結端部５ａ近傍のバック５の下辺５ｅとに、
それぞれ縁部を止着させることにより、伸縮性を持った裏地７が、かかるバック５に備えられている。
【００２１】
すなわち、この実施の形態にかかるブラジャーＢにあっては、ブラジャーＢの裏側において、バック５を構成する主生地５ｆにおける押さえ布部６の全体とこの押さえ布部６と連結端部５ａとの間に亘るバック５の連結端部５ａ側とが、かかる裏地７によって覆われている。図示の例では、かかる裏地７は略長方形状をなすと共に、その３辺でバック５を構成する主生地５ｆに止着されており、カップ２側に向けられた残りの１辺は主生地５ｆに止着されていない。
【００２２】
かかる構成により、この実施の形態にかかるブラジャーＢによれば、押さえ布部６によって、着用者Ｍの背中Ｍａにおける肩胛骨によって張り出した箇所近傍Ｍｂを広い面積で押さえることができ、この近傍の肉がブラジャーＢのバック５によって押されて際だって膨らみ出すことがないようにすることができる。バック５における押さえ布部６の形成箇所側は伸縮性を持った裏地７によって覆われていることから、この裏地７によって前記肩胛骨によって張り出した箇所近傍Ｍｂをよりしっかりと押さえることができ、着用者Ｍの背中Ｍａのボディラインを美しく整えることができる。
【００２３】
すなわち、かかる押さえ布部６は、着用者Ｍの背中Ｍａにおける肩胛骨によって張り出した箇所の少なくとも一部（より好ましくはこの箇所の下側から３分の２の範囲）を覆う大きさを持つように構成されていることが好ましい。
【００２４】
また、この実施の形態にあっては、バック５を構成する主生地５ｆが横方向に伸縮し易くなっていると共に、裏地７がこの主生地５ｆの伸縮し易い方向に交叉する方向において伸縮し易い生地によって構成されている。
【００２５】
具体的には、図示の例にあっては、バック５を構成する生地はバック５の長さ方向に伸縮し易く、一方、裏地７は、バック５の概ね幅方向（より厳密には裏地７の長さ方向）に伸縮し易くなっている。
【００２６】
これにより、この実施の形態にあっては、押さえ布部６の形成箇所において、押さえ布部６の形を崩すことなく、着用者Ｍの体を一層しっかりと押さえることができるようになっている。
【００２７】
また、この実施の形態にあっては、押さえ布部６の上端６ａとバック５の下辺との間に亘るように、コイルボーン５ｇが内装されている。
【００２８】
具体的には、図示の例にあっては、バック５の幅方向に亘るようにバック５の主生地５ｆにバック５の裏側で止着されたバイアステープ５ｉによって形成された通し部５ｈ内に前記のようにコイルボーン５ｇが納められている。すなわち、バック５の幅方向にコイルボーン５ｇの長さ方向が沿うようにした向きでバック５における連結端部５ａ側にそれぞれコイルボーン５ｇが備えられている。コイルボーン５ｇは幅広の面をバック５の主生地５ｆの面に向き合わせた状態で通し部内に納められている。裏地７はこのバイアステープ５ｉの上に張られるようになっている。
【００２９】
かかるコイルボーン５ｇによって、押さえ布部６の上端６ａとバック５の下辺との間は常時押し広げられた状態に保たれることから、この押さえ布部６の形成箇所において、常時広い面積で着用者Ｍの体をしっかりと押さえることができる。
【００３０】
また、この実施の形態にあっては、ブラジャーＢの脇上辺４に弾性を備えた線材４ｂが内装されている。具体的には、かかる脇上辺４を縁取るテープ４ｃによって形成された通し部４ｄ内に線材４ｂが納められている。これによりこの実施の形態にあっては、ブラジャーＢが体から浮き上がり難く、押さえ布部６の形成箇所において常時着用者Ｍの体をしっかりと押さえることができると共に、肩から肩ストラップ１がズレ落ちる事態を効果的に防止できるようになっている。
【図面の簡単な説明】
【００３１】
【図１】ブラジャーＢの正面構成図
【図２】同背面構成図
【図３】同要部拡大一部破断構成図
【図４】ブラジャーＢの着用状態を示した構成図
【符号の説明】
【００３２】
B  ブラジャー
１  肩ストラップ
４  脇上辺
４ａ  最底縁
５  バック
５ａ  連結端部
５ｃ  上縁
５ｄ  上辺
５ｅ  下辺
６  押さえ布部
６ａ  上端
６ｂ  一辺
７  裏地
ｘ  仮想の直線
【図１】
2007031858.tif 000003
【図２】
2007031858.tif 000004
【図３】
2007031858.tif 000005
【図４】
2007031858.tif 000006
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
帯紐状をなす肩ストラップを備えたブラジャーであって、
このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
この押さえ布部が、下方に向かうに連れて次第に幅広になるように構成してあり、
しかも、脇上辺となる押さえ布部の一辺と、押さえ布部の上端と連結端部との間に亘るバックの上辺と、連結端部近傍のバックの下辺とにそれぞれ縁部を止着された裏地がバックに備えられており、
かつ、バックを構成する主生地が横方向に伸縮し易くなっていると共に、裏地がこの主生地の伸縮し易い方向に交叉する方向において伸縮し易い生地によって構成されていることを特徴とするブラジャー。
【請求項２】
押さえ布部の上端とバックの下辺との間に亘るように、コイルボーンが内装されていることを特徴とする請求項１記載のブラジャー。
【請求項３】
脇上辺に弾性を備えた線材が内装されていることを特徴とする請求項１又は請求項２記載のブラジャー。
【手続補正２】
【補正対象書類名】明細書
【補正対象項目名】全文
【補正方法】変更
【補正の内容】
【発明の詳細な説明】
【技術分野】
【０００１】
この発明は、着用者における背中のボディラインを美しく保てるようにしたブラジャーに関する。
【背景技術】
【０００２】
夏期などの薄着時においては、ブラジャーのバックに押されてこのバックの上側と下側とにおいて隆起された着用者の肉が、着用者の背中のボディラインを損なわせ易い。夏期でなくとも着用するアウターの素材によってはこれと同様の不都合を生じさせてしまう。
【発明の開示】
【発明が解決しようとする課題】
【０００３】
この発明が解決しようとする主たる問題点は、ブラジャーに押されて着用者の背中の肉が際だって隆起し難いようにする点にある。
【課題を解決するための手段】
【０００４】
前記問題点を解決するために、この発明にあっては、ブラジャーを、以下の（１）〜（５）の構成を備えたものとした。
（１）帯紐状をなす肩ストラップを備えたブラジャーであって、
（２）このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
（３）この押さえ布部が、下方に向かうに連れて次第に幅広になるように構成してあり、
（４）しかも、脇上辺となる押さえ布部の一辺と、押さえ布部の上端と連結端部との間に亘るバックの上辺と、連結端部近傍のバックの下辺とにそれぞれ縁部を止着された伸縮性を持った裏地がバックに備えられており、
（５）かつ、バックを構成する主生地が横方向に伸縮し易くなっていると共に、裏地がこの主生地の伸縮し易い方向に交叉する方向において伸縮し易い生地によって構成されている。
【０００５】
かかる構成によれば、押さえ布部によって、着用者の背中における肩胛骨によって張り出した箇所近傍を広い面積で押さえることができ、この近傍の肉がブラジャーのバックによって押されて際だって膨らみ出すことがないようにすることができる。バックにおける押さえ布部の形成箇所側は伸縮性を持った裏地によって覆われていることから、この裏地によって前記肩胛骨によって張り出した箇所近傍をよりしっかりと押さえることができ、着用者の背中のボディラインを美しく整えることができる。
【０００６】
また、かかる構成によれば、押さえ布部の形成箇所において、押さえ布部の形を崩すことなく、着用者の体を一層しっかりと押さえることができる。
【０００７】
前記押さえ布部の上端とバックの下辺との間に亘るように、コイルボーンを内装させておくこともある。
【０００８】
このようにした場合、かかるコイルボーンによって、押さえ布部の上端とバックの下辺との間は常時押し広げられた状態に保たれることから、この押さえ布部の形成箇所において、常時広い面積で着用者の体をしっかりと押さえることができる。
【０００９】
前記脇上辺に弾性を備えた線材を内装させておくこともある。
【００１０】
このようにした場合、ブラジャーが体から浮き上がり難く、押さえ布部の形成箇所において常時着用者の体をしっかりと押さえることができると共に、肩から肩ストラップがズレ落ちる事態を効果的に防止できる。
【発明の効果】
【００１１】
この発明にかかるブラジャーによれば、ブラジャーのバックに押されて着用者の背中側の肉が際だって隆起し難いようにして、着用者における背中のボディラインを美しく保つことができる。
【発明を実施するための最良の形態】
【００１２】
以下、図１ないし図４に基づいて、この発明を実施するための最良の形態について説明する。
【００１３】
なお、ここで図１は、実施の形態にかかるブラジャーＢをその前面から視て、また、図２は、その背面から視て、また、図３は、図２の右側を拡大させた状態として、それぞれ示しており、また、図４は、かかるブラジャーＢを着用した様子を着用者Ｍの背中側から視て示している。
【００１４】
この実施の形態にかかるブラジャーＢは、ブラジャーＢのバック５に押されてこのバック５の上側と下側とにおいて着用者Ｍの肉が際だって隆起し難いようにして、特に夏期などの薄着時においてブラジャーＢの着用者Ｍにおける背中Ｍａのボディラインを美しく保てるようにしたものである。
【００１５】
かかるブラジャーＢは、帯紐状をなす肩ストラップ１を備えている。図中符号２はカップ、符号２ａはカップワイヤー、符号３は土台布である。また、かかるブラジャーＢのバック５であって、ブラジャーＢの脇上辺４の最底縁４ａとこのバック５の連結端部５ａ（背鈎５ｂによって取り外し可能に接続され合うバック５の左右端部）との間となる箇所には、この脇上辺４の最底縁４ａと連結端部５ａの上縁とを結ぶ仮想の直線ｘよりも上方に延出する押さえ布部６が備えられている。
【００１６】
肩ストラップ１における着用者Ｍの背中Ｍａ側に位置される端部は、かかる押さえ布部６の上端６ａに接続されている。また、かかる押さえ布部６は、下方に向かうに連れて次第に幅広になるように構成されている。図示の例では、かかる押さえ布部６は、前記仮想の直線ｘと接する箇所において最も広く、この箇所から上方に向かうに連れて次第に幅狭となる略三角形の舌片状をなしている。そして、この略三角形状をなす押さえ布部６の頂部に肩ストラップ１における着用者Ｍの背中Ｍａ側に位置される端部が接続されている。
【００１７】
また、かかるブラジャーＢにあっては、
バック５の脇上辺４となる押さえ布部６の一辺６ｂと、（つまり、カップ２側にある押さえ布部６の斜辺）
押さえ布部６の上端６ａと連結端部５ａとの間に亘るバック５の上辺５ｄと、（つまり、連結端部５ａ側にある押さえ布部６の斜辺）
連結端部５ａ近傍のバック５の下辺５ｅとに、
それぞれ縁部を止着させることにより、伸縮性を持った裏地７が、かかるバック５に備えられている。
【００１８】
すなわち、この実施の形態にかかるブラジャーＢにあっては、ブラジャーＢの裏側において、バック５を構成する主生地５ｆにおける押さえ布部６の全体とこの押さえ布部６と連結端部５ａとの間に亘るバック５の連結端部５ａ側とが、かかる裏地７によって覆われている。図示の例では、かかる裏地７は略長方形状をなすと共に、その３辺でバック５を構成する主生地５ｆに止着されており、カップ２側に向けられた残りの１辺は主生地５ｆに止着されていない。
【００１９】
かかる構成により、この実施の形態にかかるブラジャーＢによれば、押さえ布部６によって、着用者Ｍの背中Ｍａにおける肩胛骨によって張り出した箇所近傍Ｍｂを広い面積で押さえることができ、この近傍の肉がブラジャーＢのバック５によって押されて際だって膨らみ出すことがないようにすることができる。バック５における押さえ布部６の形成箇所側は伸縮性を持った裏地７によって覆われていることから、この裏地７によって前記肩胛骨によって張り出した箇所近傍Ｍｂをよりしっかりと押さえることができ、着用者Ｍの背中Ｍａのボディラインを美しく整えることができる。
【００２０】
すなわち、かかる押さえ布部６は、着用者Ｍの背中Ｍａにおける肩胛骨によって張り出した箇所の少なくとも一部（より好ましくはこの箇所の下側から３分の２の範囲）を覆う大きさを持つように構成されていることが好ましい。
【００２１】
また、この実施の形態にあっては、バック５を構成する主生地５ｆが横方向に伸縮し易くなっていると共に、裏地７がこの主生地５ｆの伸縮し易い方向に交叉する方向において伸縮し易い生地によって構成されている。
【００２２】
具体的には、図示の例にあっては、バック５を構成する生地はバック５の長さ方向に伸縮し易く、一方、裏地７は、バック５の概ね幅方向（より厳密には裏地７の長さ方向）に伸縮し易くなっている。
【００２３】
これにより、この実施の形態にあっては、押さえ布部６の形成箇所において、押さえ布部６の形を崩すことなく、着用者Ｍの体を一層しっかりと押さえることができるようになっている。
【００２４】
また、この実施の形態にあっては、押さえ布部６の上端６ａとバック５の下辺との間に亘るように、コイルボーン５ｇが内装されている。
【００２５】
具体的には、図示の例にあっては、バック５の幅方向に亘るようにバック５の主生地５ｆにバック５の裏側で止着されたバイアステープ５ｉによって形成された通し部５ｈ内に前記のようにコイルボーン５ｇが納められている。すなわち、バック５の幅方向にコイルボーン５ｇの長さ方向が沿うようにした向きでバック５における連結端部５ａ側にそれぞれコイルボーン５ｇが備えられている。コイルボーン５ｇは幅広の面をバック５の主生地５ｆの面に向き合わせた状態で通し部内に納められている。裏地７はこのバイアステープ５ｉの上に張られるようになっている。
【００２６】
かかるコイルボーン５ｇによって、押さえ布部６の上端６ａとバック５の下辺との間は常時押し広げられた状態に保たれることから、この押さえ布部６の形成箇所において、常時広い面積で着用者Ｍの体をしっかりと押さえることができる。
【００２７】
また、この実施の形態にあっては、ブラジャーＢの脇上辺４に弾性を備えた線材４ｂが内装されている。具体的には、かかる脇上辺４を縁取るテープ４ｃによって形成された通し部４ｄ内に線材４ｂが納められている。これによりこの実施の形態にあっては、ブラジャーＢが体から浮き上がり難く、押さえ布部６の形成箇所において常時着用者Ｍの体をしっかりと押さえることができると共に、肩から肩ストラップ１がズレ落ちる事態を効果的に防止できるようになっている。
【図面の簡単な説明】
【００２８】
【図１】ブラジャーＢの正面構成図
【図２】同背面構成図
【図３】同要部拡大一部破断構成図
【図４】ブラジャーＢの着用状態を示した構成図
【符号の説明】
【００２９】
B  ブラジャー
１  肩ストラップ
４  脇上辺
４ａ  最底縁
５  バック
５ａ  連結端部
５ｃ  上縁
５ｄ  上辺
５ｅ  下辺
６  押さえ布部
６ａ  上端
６ｂ  一辺
７  裏地
ｘ  仮想の直線
【手続補正書】
【提出日】平成18年5月12日(2006.5.12)
【手続補正１】
【補正対象書類名】特許請求の範囲
【補正対象項目名】請求項１
【補正方法】変更
【補正の内容】
【請求項１】
帯紐状をなす肩ストラップを備えたブラジャーであって、
このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
この押さえ布部が、下方に向かうに連れて次第に幅広になるように構成してあり、
しかも、脇上辺となる押さえ布部の一辺と、押さえ布部の上端と連結端部との間に亘るバックの上辺と、連結端部近傍のバックの下辺とにそれぞれ縁部を止着された裏地がバックに備えられており、
この裏地によって、バックを構成する主生地における押さえ布部の全体とこの押さえ布部と連結端部との間に亘るバックの連結端部側とが覆われており、
かつ、バックを構成する主生地が横方向に伸縮し易くなっていると共に、裏地がこの主生地の伸縮し易い方向に交叉する方向において伸縮し易い生地によって構成されていることを特徴とするブラジャー。
【手続補正２】
【補正対象書類名】明細書
【補正対象項目名】０００４
【補正方法】変更
【補正の内容】
【０００４】
前記問題点を解決するために、この発明にあっては、ブラジャーを、以下の（１）〜（６）の構成を備えたものとした。
（１）帯紐状をなす肩ストラップを備えたブラジャーであって、
（２）このブラジャーのバックであって、ブラジャーの脇上辺の最底縁とこのバックの連結端部との間となる箇所に、この脇上辺の最底縁と連結端部の上縁とを結ぶ仮想の直線よりも上方に延出する押さえ布部が備えられており、この押さえ布部の上端に肩ストラップが接続されていると共に、
（３）この押さえ布部が、下方に向かうに連れて次第に幅広になるように構成してあり、
（４）しかも、脇上辺となる押さえ布部の一辺と、押さえ布部の上端と連結端部との間に亘るバックの上辺と、連結端部近傍のバックの下辺とにそれぞれ縁部を止着された裏地がバックに備えられており、
（５）この裏地によって、バックを構成する主生地における押さえ布部の全体とこの押さえ布部と連結端部との間に亘るバックの連結端部側とが覆われており、
（６）かつ、バックを構成する主生地が横方向に伸縮し易くなっていると共に、裏地がこの主生地の伸縮し易い方向に交叉する方向において伸縮し易い生地によって構成されている。